【手続補正書】
【提出日】令和3年5月6日(2021.5.6)
【手続補正１】
【補正対象書類名】特許請求の範囲
【補正対象項目名】全文
【補正方法】変更
【補正の内容】
【特許請求の範囲】
【請求項１】
方法であって、
拡張サービス能力公開機能（Ａ−ＳＣＥＦ）によって、アプリケーションサーバ（ＡＳ）からコマンドメッセージを受信するステップであって、前記コマンドメッセージが、外部識別タグと、前記外部識別タグに関連付けられたアプリケーションプログラミングインターフェース（ＡＰＩ）命令と、セキュリティ証明書と、を含む、ステップと、
前記セキュリティ証明書が前記外部識別タグに対して認可されていることを確認するステップと、
前記確認するステップに応答して、前記Ａ−ＳＣＥＦによって、第１の電子的に検索可能なカタログ内に、前記外部識別タグに関連付けられた少なくとも１つのネットワーク識別子を位置付けるステップであって、前記少なくとも１つのネットワーク識別子が、前記外部識別タグとは異なる、ステップと、
前記Ａ−ＳＣＥＦによって、選択階層に少なくとも部分的に基づいて、少なくとも２つのデータ接続経路から少なくとも１つのユーザ機器（ＵＥ）へのデータ接続経路を選択するステップと、
前記Ａ−ＳＣＥＦによって、前記ＡＰＩ命令に基づいて、前記少なくとも１つのネットワーク識別子に関連付けられた少なくとも１つのＵＥに通信を送信するステップであって、前記通信が選択された前記データ接続経路を介して送信されている、ステップと、
を含む、方法。
【請求項２】
前記確認するステップが、前記外部識別タグと前記セキュリティ証明書との間の関連付けを、複数の外部識別タグの第２の電子的に検索可能なカタログおよび関連するセキュリティ証明書内に位置付けることを含む、請求項１に記載の方法。
【請求項３】
前記外部識別タグが、外部グループ識別タグであり、前記グループ外部識別タグに関連付けられた前記少なくとも１つのネットワーク識別子が、複数の関連付けられたネットワーク識別子を含み、前記複数の関連付けられたネットワーク識別子の各々が、それぞれのＵＥを識別し、前記通信が、前記複数のネットワーク識別子に関連付けられた前記ＵＥの各々に送信される、請求項１に記載の方法。
【請求項４】
前記ＡＰＩ命令が、転送データ命令であり、
当該方法が、更に、前記転送データ命令に応答して、前記ＡＳまたは前記ＵＥの少なくとも１つに関連付けられたポリシープロファイルにおいて、転送データポリシー設定を識別するステップを含み、前記転送データポリシー設定が、
アクティブプル設定、
ストアアンドフォワード設定、
データレート設定、
メモリ割り当て設定、または
優先度設定
のうちの少なくとも１つであり、
前記少なくとも１つのＵＥに前記通信を前記送信するステップが、前記Ａ−ＳＣＥＦによって、前記データポリシー設定に基づいて、ある時間間隔で、あるレートで、または、前記ＵＥと前記Ａ−ＳＣＥＦとの間もしくは前記ＡＳと前記Ａ−ＳＣＥＦとの間の他の通信後に、のうちの少なくとも１つにおいて前記通信を送信することのうちの少なくとも１つを含む、請求項１に記載の方法。
【請求項５】
前記Ａ−ＳＣＥＦによって、前記データポリシー設定に基づいて前記通信を前記送信するステップが、前記ＡＰＩ命令とは無関係に送信される、請求項４に記載の方法。
【請求項６】
前記コマンドメッセージが更に返信間隔を含み、当該方法が、更に、
前記Ａ−ＳＣＥＦによって、前記ネットワーク識別子に関連付けられた前記ＵＥから、データを含む少なくとも1つの更新メッセージを受信するステップと、
前記Ａ−ＳＣＥＦによって、前記第１の電子的に検索可能なカタログ内に、前記ネットワーク識別子に関連付けられた前記外部識別タグを位置付けるステップと、
前記Ａ−ＳＣＥＦによって、前記返信間隔に従って、前記ＡＳへ返信メッセージを送信するステップであって、前記返信メッセージが、
前記外部識別タグ、および
前記ネットワーク識別子に関連付けられた前記ＵＥから受信した前記データ
を含む、ステップと、
を含む、請求項４に記載の方法。
【請求項７】
前記コマンドメッセージが更にデータを含む送信データコマンドメッセージであり、
当該方法が、更に、前記Ａ−ＳＣＥＦによって、前記通信中の前記データを前記少なくとも１つのＵＥに送信するステップを含む、請求項１に記載の方法。
【請求項８】
前記通信がショートメッセージサービス（ＳＭＳ）を含み、
前記ＡＰＩ命令が、電力消費が削減されたスリープ状態から非スリープ状態へ移行し、かつアプリケーションに接続するように、前記少なくとも１つのＵＥに対して命令するデバイストリガーである、請求項１に記載の方法。
【請求項９】
前記Ａ−ＳＣＥＦによって、前記ＡＰＩ命令に基づいて、前記少なくとも１つのネットワーク識別子に関連付けられた前記少なくとも１つのＵＥに前記通信を送信するステップが、更に、前記Ａ−ＳＣＥＦによって、選択されたデータ接続経路を介して、前記少なくとも１つのネットワーク識別子に関連付けられた前記少なくとも１つのＵＥに前記通信を送信することを含む、請求項１に記載の方法。
【請求項１０】
前記Ａ−ＳＣＥＦによって、前記少なくとも２つのデータ接続経路から前記少なくとも１つのＵＥへの前記データ接続経路を前記選択するステップが、
前記少なくとも２つのデータ接続経路のうちの２つ以上が開いているかを判定することと、
選択階層に基づいて、優先データ接続経路を判定することと、
前記優先データ接続経路を選択することと、
を含む、請求項９に記載の方法。
【請求項１１】
前記Ａ−ＳＣＥＦによって、前記少なくとも２つのデータ接続経路から前記ＵＥへの前記データ接続経路を前記選択するステップが、前記ＵＥに関連付けられたデバイス能力リストをＵＥ能力データベースに位置付けることを含む、請求項９に記載の方法。
【請求項１２】
前記選択されたデータ接続経路が、
非ＩＰ−ｖｉａ−ＳＧｉ接続経路、
ＩＰ−ｖｉａ−ＳＧｉ接続経路、
ＮＩＤＤ−ｖｉａ−Ｔ６ａ接続経路、
ＭＴ−ＳＭＳ−ｖｉａ−Ｔ４接続経路、
ＳＭＳ−ｖｉａ−ＳＧｄ接続経路、または
ＳＭＳ−ｖｉａ−Ｇｄ接続経路、
のうちの少なくとも１つを含む、請求項９に記載の方法。
【請求項１３】
前記選択されたデータ接続経路が、前記少なくとも２つのデータ接続経路のうちの少なくとも１つに関連付けられたトラフィックデータに基づいて選択されている、請求項９に記載の方法。
【請求項１４】
前記トラフィックデータが前記３ＧＰＰネットワークに関連付けられており、
前記トラフィックデータが、
少なくとも１つの接続経路にわたるネットワーク遅延、
少なくとも１つの接続経路にわたる履歴ネットワーク遅延、
前記３ＧＰＰネットワークの少なくとも一部の負荷情報、
前記３ＧＰＰネットワークの少なくとも一部の履歴負荷情報、または
優先度情報
のうちの少なくとも１つを含む、請求項１３に記載の方法。
【請求項１５】
前記Ａ−ＳＣＥＦが、デバイスゲートウェイ機能（ＤＧ）および複数のサービス能力公開機能（ＳＣＥＦ）を含み、
前記少なくとも１つのネットワーク識別子を前記位置付けるステップが、前記ＤＧによるものであり、
前記Ａ−ＳＣＥＦによって、前記少なくとも１つのＵＥに前記通信を前記送信するステップが、
前記ＤＧが、前記複数のＳＣＥＦの中から前記ＵＥに関連付けられたアクティブＳＣＥＦを選択することと、
前記ＤＧが、前記選択されたＳＣＥＦへの前記ＡＰＩ命令に基づいて、前記ネットワーク識別子および情報を送信することと、
を含む、請求項１に記載の方法。
【請求項１６】
前記Ａ−ＳＣＥＦが、デバイスゲートウェイ機能（ＤＧ）およびサービス能力公開機能（ＳＣＥＦ）を含み、
前記少なくとも１つのネットワーク識別子を前記位置付けるステップが、前記ＤＧによるものであり、
前記Ａ−ＳＣＥＦによって、前記少なくとも１つのＵＥに前記通信を前記送信するステップが、前記ＤＧが前記ＳＣＥＦへの前記ＡＰＩ命令に基づいて、前記ネットワーク識別子および情報を送信することを含む、請求項１に記載の方法。
【請求項１７】
前記受信するステップが前記ＤＧによるものであり、
前記受信するステップが、完全修飾ドメイン名（ＦＱＤＮ）を介して受信することを含む、請求項１６に記載の方法。
【請求項１８】
前記Ａ−ＳＣＥＦによって、前記少なくとも１つのＵＥに前記通信を前記送信するステップが、
ＳＧｉ経路を選択することと、
前記Ａ−ＳＣＥＦによって、前記選択されたＳＧＩ経路を介して、少なくとも前記ネットワーク識別子をＰＧＷに送信することと、
を含む、請求項１に記載の方法。
【請求項１９】
方法であって、
拡張サービス能力公開機能（Ａ−ＳＣＥＦ）によって、アプリケーションサーバ（ＡＳ）からコマンドメッセージを受信するステップであって、前記コマンドメッセージが、外部識別タグと、セキュリティ証明書と、転送データ命令を含むアプリケーションプログラミングインターフェース（ＡＰＩ）命令と、を含む、ステップと、
前記転送データ命令に応答して、前記ＡＳまたは前記ＵＥの少なくとも１つに関連付けられたポリシープロファイルにおいて、転送データポリシー設定を識別するステップと、
前記セキュリティ証明書が前記外部識別タグに対して認可されていることを確認するステップと、
前記確認するステップに応答して、前記Ａ−ＳＣＥＦによって、第１の電子的に検索可能なカタログ内に、前記外部識別タグに関連付けられた少なくとも１つのネットワーク識別子を位置付けるステップであって、前記少なくとも１つのネットワーク識別子が、前記外部識別タグとは異なる、ステップと、
前記Ａ−ＳＣＥＦによって、前記転送データポリシー設定に基づいて、前記少なくとも１つのネットワーク識別子に関連付けられた少なくとも１つのユーザ機器（ＵＥ）に通信を送信するステップと、
前記Ａ−ＳＣＥＦによって、前記少なくとも１つのネットワーク識別子のうちからの１つのネットワーク識別子に関連付けられたＵＥから、データを含む少なくとも1つの更新メッセージを受信するステップと、
前記Ａ−ＳＣＥＦによって、前記ＡＳへ返信メッセージを送信するステップであって、前記返信メッセージが、前記外部識別タグと、前記ネットワーク識別子に関連付けられた前記ＵＥから受信した前記データとを含む、ステップと、
を含む、方法。
【請求項２０】
システムであって、
１つ以上のプロセッサと、
前記１つ以上のプロセッサと電気的に通信するメモリと、
前記メモリに格納された命令であって、前記１つ以上のプロセッサが、
少なくとも１つの拡張サービス能力公開機能（Ａ−ＳＣＥＦ）によって、アプリケーションサーバ（ＡＳ）からコマンドメッセージを受信するステップであって、前記コマンドメッセージが、外部識別タグと、前記外部識別タグに関連付けられたアプリケーションプログラミングインターフェース（ＡＰＩ）命令と、セキュリティ証明書とを含む、ステップと、
前記セキュリティ証明書が前記外部識別タグに対して認可されていることを確認するステップと、
前記少なくとも１つのＡ−ＳＣＥＦによって、第１の電子的に検索可能なカタログ内に、前記外部識別タグに関連付けられた少なくとも１つのネットワーク識別子を位置付けるステップであって、前記少なくとも１つのネットワーク識別子が、前記外部識別タグとは異なる、ステップと、
前記Ａ−ＳＣＥＦによって、選択階層に少なくとも部分的に基づいて、少なくとも２つのデータ接続経路から少なくとも１つのユーザ機器（ＵＥ）へのデータ接続経路を選択するステップと、
前記Ａ−ＳＣＥＦによって、前記ＡＰＩ命令に基づいて、前記少なくとも１つのネットワーク識別子に関連付けられた少なくとも１つのユーザ機器（ＵＥ）に通信を送信するステップであって、前記通信が、選択された前記データ接続経路を介して送信されている、ステップと、
を実行可能とする命令と、
を備える、システム。